(57)【要約】【課題】空気中に浮遊するアレルゲンやマイクロダストが乾燥風に含まれるのを防止できるうえ、機器本体の内部を清潔な状態に維持して、常に衛生的な乾燥風を吹き出し供給でき、したがって一般ユーザーはもちろん、アレルギー症のユーザーであっても安心して使用できる、ヘアードライヤーを提供する。【解決手段】本体ケース１内の通風路Ｒに、送風用のファン１０、ファン駆動用のモーター１１、ヒーター１２などを配置する。通風路Ｒの一端には吸込み口６が、通風路Ｒの他端には吹出し口７が設けてある。吸込み口６に、アレルゲン、およびマイクロダストの流入を阻止するフィルター２６を配置する。通風路Ｒに臨むファン１０の表面に光触媒２９を設け、光触媒２９に向かって励起光を照射する光源３１を本体ケース１の内部に設ける。【選択図】図１
2006068187.tif 000002
【特許請求の範囲】
【請求項１】
本体ケース（１）内の通風路（Ｒ）に、送風用のファン（１０）、ファン駆動用のモーター（１１）、ヒーター（１２）が配置されており、通風路（Ｒ）の一端に吸込み口（６）が設けられ、通風路（Ｒ）の他端に吹出し口（７）が設けてあるヘアードライヤーであって、
通風路（Ｒ）に臨むドライヤー構成部品の表面に光触媒（２９）が設けられ、光触媒（２９）に向かって励起光を照射する光源（３１）が本体ケース（１）の内部に設けてあるヘアードライヤー。
【請求項２】
ファン（１０）の表面の少なくとも一部に光触媒（２９）が設けられており、ファン（１０）の近傍の静止構造体に光源（３１）が配置してある請求項１記載のヘアードライヤー。
【請求項３】
ファン（１０）の表面の少なくともファンブレード（１０ｂ）に光触媒（２９）が設けてある請求項２記載のヘアードライヤー。
【請求項４】
本体ケース（１）の内部に、光源（３１）から照射される励起光が本体ケース（１）の外へ漏洩するのを遮蔽する遮蔽体が設けられている請求項１または２または３記載のヘアードライヤー。
【請求項５】
吸込み口（６）に、アレルゲン、およびマイクロダストの流入を阻止するフィルター（２６）が配置してある請求項１または２または３または４記載のヘアードライヤー。
【請求項６】
フィルター（２６）が静電フィルターで構成され、その表面に光触媒（３９）が設けてある請求項４または５記載のヘアードライヤー。
【請求項７】
フィルター（２６）の内表面に設けた光触媒（３９）に向かって励起光を照射する第２の光源（４７）が本体ケース（１）の内部に配置してある請求項６記載のヘアードライヤー。
【請求項８】
吸込み口（６）と吹出し口（７）との間の通風路（Ｒ）の中途部に、軸流型のファン（１０）が配置されており、
吸込み口（６）とファン（１０）との間の静止構造体に、励起光をファン（１０）へ向かって前向きに照射する光源（３１）が配置されている請求項２または３または４または５記載のヘアードライヤー。
【請求項９】
ファン（１０）と吹出し口（７）との間に、励起光を遮蔽する遮蔽体が設けてある請求項８記載のヘアードライヤー。
【請求項１０】
ファン（１０）と吹出し口（７）との間に配置した、モーター（１０）と、ヒーター（１２）と、これらを支持する構造体（１３・２０）と、吹出しグリル（１５）と、通風路Ｒを囲む構造体（１４・１７）の少なくともいずれかひとつが励起光を遮蔽する遮蔽体を兼ねている請求項９記載のヘアードライヤー。
【請求項１１】
ファン（１０）のファンブレード（１０ｂ）の表面に光触媒（２９）が設けられており、
光源（３１）が、本体ケース（１）の筒中心の近傍に配置されて、その光軸中心をファンブレード（１０ｂ）に向かって指向させてある請求項８または９または１０記載のヘアードライヤー。
【請求項１２】
ファン（１０）と正対するフィルター（２６）のフィルター枠（３３）に光源（３１）が配置してある請求項８または９または１０または１１記載のヘアードライヤー。
【請求項１３】
吸込み口（６）と吹出し口（７）との間の通風路（Ｒ）の中途部に、軸流型のファン（１０）が配置されており、
吹出し口（７）とファン（１０）との間の静止構造体に、励起光をファン（１０）へ向かって後向きに照射する光源（３１）が配置してある請求項２または３または４または５記載のヘアードライヤー。
【請求項１４】
ファン（１０）と吸込み口（６）との間に、励起光を遮蔽する遮蔽体が設けてある請求項１３記載のヘアードライヤー。
【請求項１５】
吸込み口（６）に設けたフィルター（２６）が遮蔽体を兼ねている請求項１４記載のヘアードライヤー。
【請求項１６】
吸込み口（６）と吹出し口（７）との間の通風路（Ｒ）の中途部に、軸流型のファン（１０）が配置されており、
ファン（１０）の回転周面に臨む静止構造体に、励起光をファン（１０）へ向かって照射する光源（３１）が配置されている請求項２または３または４または５記載のヘアードライヤー。
【請求項１７】
本体ケース（１）とその下面一側に設けたグリップ（３）との間のケース内に、ファン（１０）の回転周面と対向する取付壁（３０）が設けられ、この取付壁（３０）に光源（３１）が装着されている請求項１６記載のヘアードライヤー。
【請求項１８】
吸込み口（６）と吹出し口（７）との間の通風路（Ｒ）の中途部に、多翼ファン型のファン（１０）が配置されており、
ファン（１０）のファンブレード（１０ｂ）の表面に光触媒（２９）が設けられており、
ファン（１０）のファンブレード（１０ｂ）で囲まれる静止構造体に、励起光をファンブレード（１０ｂ）へ向かって照射する光源（３１）が配置されている請求項２または３または４または５記載のヘアードライヤー。
【請求項１９】
光源（３１）と吸込み口（６）との間に、励起光の遮蔽体が設けてある請求項１８記載のヘアードライヤー。
【請求項２０】
吸込み口（６）を覆う吸込みグリル（５６）の内面に、ファン（１０）に向かって励起光を照射する光源（３１）が配置してある請求項２または３または４記載のヘアードライヤー。
【発明の詳細な説明】
【技術分野】
【０００１】
本発明は、衛生的にクリーンな乾燥風を送給でき、あるいは空気中に浮遊する異物が乾燥風に含まれるのを防止できるようにしたヘアードライヤーに関する。
【背景技術】
【０００２】
本発明では、有機物を分解し、あるいは菌類を殺菌するために、ヘアードライヤー本体の内部に光触媒と、光触媒を励起する光源とを設けるが、このように光触媒作用を利用して殺菌を行う電気機器は公知である（特許文献１、２、参照）。特許文献１は、電気かみそりを適用対象にして、その外刃、内刃などの、かみそりヘッドの毛屑室に臨む部品の表面に光触媒膜を設けて、各部品の表面に付着する毛屑や皮脂の酸化、腐敗を防止し、あるいは雑菌などを殺菌できるようにしている。
【０００３】
特許文献２は、水洗後の手を乾燥するためのハンドドライヤーにおいて、ハンドドライヤーを構成する透明のケースと、ケース内部の送風ファンのそれぞれに光触媒層を形成している。ハンドドライヤーは、光触媒を励起させる光源を内蔵しておらず、ハンドドライヤーが設置される室内の照明機器を励起用の光源としている。
【０００４】
本発明のヘアードライヤーは、吸込み口の側に空気中に浮遊する異物を除去するためのフィルターを設けるが、この種のヘアードライヤーは特許文献３、４に公知である。前者は、前段フィルターと高性能フィルターとで、吸込み口の外面を内外二重に覆って、異物の吸い込みを阻止している。もっとも、高性能フィルターの構造や機能などについては言及されていない。後者は、吸込み口を円筒状のフィルターで塞いでいる。フィルターは、プリーツ状に折ったろ材シートをリング状に保形して構成してあり、その片方の筒端面が蓋体で塞いである。
【０００５】
【特許文献１】特開平１１−２１６２７６号公報（段落番号００３８、図１）
【特許文献２】特開２００１−３６１号公報（段落番号００２０、図１）
【特許文献３】実開昭６４−１１１０５号公報（第３頁、第２図）
【特許文献４】実開平５−９４０４号公報（段落番号０００５、図１）
【発明の開示】
【発明が解決しようとする課題】
【０００６】
近年、室内空気に含まれる花粉、ダニの死骸、かび、雑菌などのアレルゲンや、空気中に浮遊するちり、ほこり、ペット動物の毛、繊維屑などのマイクロダストによって、各種のアレルギー疾患を生じることが問題になっている。特許文献１、２の電気機器によれば、機器内部の部品に付着する有機物などを光触媒によって分解し、あるいは雑菌類を殺菌できるので、アレルギー疾患の発症を抑止できる。
【０００７】
しかし、一般的なヘアードライヤーにおいては、ファンの送風効率を高める必要上、吸込み口は通風抵抗が小さな、例えばパンチングメタル製のグリルで覆う程度で、殆ど防塵機能を備えていない。そのため、ドライヤー本体の内部に光触媒を配置したとしても、吸い込み空気に含まれる繊維屑、髪の毛、あるいはマイクロダストなどが、送風ファンのブレードや、風導内壁、あるいは整流翼などに付着して堆積しやすく、光触媒の表面が堆積層で覆われ、あるいは堆積層にアレルゲンが捕捉されて蓄積するのを避けられない。
【０００８】
このように、通風路の内部にアレルゲンやマイクロダストが堆積すると、光触媒による殺菌作用や、有機物の分解作用が著しく低下するのはもちろん、堆積物と接触したほこりくさい空気や、腐敗臭を伴う空気が乾燥風として送給されるのを避けられない。また、長時間にわたってヘアードライヤーを使用するような場合には、結果的にアレルゲンやマイクロダストが繰り返し頭部に吹き付けられることとなり、最悪の場合にはアレルギー症を発症する一因になるおそれがある。こうした状況に対処するには、ドライヤー本体を分解して堆積物を除去するのが効果的であるが、一般ユーザーにとって分解し清掃したドライヤー本体を正しく組み立ることは難しく、ヘアードライヤーの分解清掃をユーザーに依存することに無理がある。
【０００９】
この点、特許文献３、４のヘアードライヤーによれば、送風ファンの吸込み口に配置したフィルターによって、吸い込み空気に含まれる塵埃の流入を阻止できるので、通風路の内部における塵埃などの堆積を防止して清浄な乾燥風を吹き出し供給できる。しかし、フィルターに捕捉されたアレルゲンやマイクロダストは、その捕捉量が増加するのに伴い、吸い込み空気と接触して異臭の原因になるうえ、ヘアードライヤーの取り扱い時に、捕捉されたアレルゲンやマイクロダストがフィルター表面から剥落し、飛散して周辺空気を汚染するおそれがある。マイクロダストなどの捕捉量が増加するのに伴い、フィルターの通風抵抗が増加し、送風効率が急激に低下する不利もある。
【００１０】
本発明の目的は、ドライヤー本体の内部を清潔な状態に維持し、さらに乾燥風に含まれる異物を殺菌することにより、衛生的にクリーンな乾燥風を吹き出し送給できるヘアードライヤーを提供することにある。本発明の目的は、衛生的にクリーンな乾燥風を吹き出し供給できることに加えて、空気中に浮遊するアレルゲンやマイクロダストが乾燥風に含まれるのを防止して、一般ユーザーはもちろん、アレルギー症のユーザーであっても安心して使用できる、ヘアードライヤーを提供することにある。本発明の目的は、フィルターで捕捉されたアレルゲンやマイクロダストなどを、光触媒作用によって分解し、あるいは殺菌して、よりクリーンな乾燥風を送給できるヘアードライヤーを提供することにある。
【課題を解決するための手段】
【００１１】
本発明のヘアードライヤーは、本体ケース１内の通風路Ｒに、送風用のファン１０、ファン駆動用のモーター１１、ヒーター１２などが配置してあり、通風路Ｒの一端に吸込み口６が設けられ、通風路Ｒの他端に吹出し口７が設けてある。通風路Ｒに臨むドライヤー構成部品の表面に光触媒２９を設け、光触媒２９に向かって励起光を照射する光源３１を本体ケース１の内部に設ける。
【００１２】
ファン１０の表面の少なくとも一部に光触媒２９を設け、ファン１０の近傍の静止構造体に光源３１を配置する。静止構造体としては、モーターホルダー１３、その風導筒１７、整流翼１８、本体ケース１、ヒーターホルダー２０、吸込み口６に設けられるホルダー４４、フィルター枠３３、必要に応じて設けられる吸込みグリルなどがある。
【００１３】
ファン１０の表面の少なくともファンブレード１０ｂに光触媒２９を設ける。
【００１４】
本体ケース１の内部に、光源３１から照射される励起光が本体ケース１の外へ漏洩するのを遮蔽するための遮蔽体を設ける。
【００１５】
吸込み口６にアレルゲン、およびマイクロダストなどの流入を阻止するフィルター２６を配置する。
【００１６】
フィルター２６を静電フィルターで構成し、その表面に光触媒３９を設ける。
【００１７】
フィルター２６の内表面に設けた光触媒３９に向かって励起光を照射する第２の光源４７を本体ケース１の内部に配置する。
【００１８】
吸込み口６と吹出し口７との間の通風路Ｒの中途部に、軸流型のファン１０を配置する。吸込み口６とファン１０との間の静止構造体に、励起光をファン１０へ向かって前向きに照射する光源３１を配置する。
【００１９】
ファン１０と吹出し口７との間に、励起光を遮蔽する遮蔽体を設ける。ファン１０と吹出し口７との間に配置した、モーター１０と、ヒーター１１と、これらを支持する構造体１３・２０と、吹出しグリル１５と、通風路Ｒを囲む構造体１４・１７の少なくともいずれかひとつが励起光を遮蔽する遮蔽体を兼ねることができる。
【００２０】
ファン１０のファンブレード１０ｂの表面に光触媒２９を設ける。光源３１は、本体ケース１の筒中心の近傍に配置し、その光軸中心をファンブレード１０ｂに向かって指向させる。
【００２１】
ファン１０と正対するフィルター２６のフィルター枠３３に光源３１を配置する。
【００２２】
吸込み口６と吹出し口７との間の通風路Ｒの中途部に、軸流型のファン１０を配置する。吹出し口７とファン１０との間の静止構造体に、励起光をファン１０へ向かって後向きに照射する光源３１を配置する。
【００２３】
ファン１０と吸込み口６との間に、励起光を遮蔽する遮蔽体を設ける。吸込み口６に設けたフィルター２６が遮蔽体を兼ねる。
【００２４】
吸込み口６と吹出し口７との間の通風路Ｒの中途部に、軸流型のファン１０を配置する。ファン１０の回転周面に臨む静止構造体に、励起光をファン１０へ向かって照射する光源３１を配置する。
【００２５】
本体ケース１とその下面一側に設けたグリップ３との間のケース内に、ファン１０の回転周面と対向する取付壁３０を設け、この取付壁３０に光源３１を装着する。
【００２６】
吸込み口６と吹出し口７との間の通風路Ｒの中途部に、多翼ファン型のファン１０を配置する。ファン１０のファンブレード１０ｂの表面に光触媒２９を設ける。ファン１０のファンブレード１０ｂで囲まれる静止構造体に、励起光をファンブレード１０ｂへ向かって照射する光源３１を配置する。光源３１と吸込み口６との間に励起光の遮蔽体を設ける。
【００２７】
吸込み口６を覆う吸込みグリル５６の内面に、ファン１０に向かって励起光を照射する光源３１を配置する。
【発明の効果】
【００２８】
本発明のヘアードライヤーにおいては、通風路Ｒに臨むドライヤー構成部品の表面に光触媒２９を設けて、これを本体ケース１内の光源３１からの光で励起させ、その酸化還元反応によって有機物を分解し、雑菌類を殺菌するので、本体ケース１の内部を清潔な状態に維持して衛生的にクリーンな乾燥風を吹き出し供給できる。光源３１から照射される紫外線によって、乾燥風に含まれる雑菌などを直接殺菌できる利点もある。
【００２９】
ファン１０の表面の少なくとも一部に光触媒２９を設け、ファン１０の近傍の静止構造体に光源３１を配置すると、ファン１０と同行回転する光触媒２９の回転軌跡の一個所に向かって光源３１から紫外光を照射すればよく、より少ない数の光源３１で光触媒２９を励起できるので、光触媒２９および光源３１を備えたヘアードライヤーの構造を簡素化できる。
【００３０】
ファン１０の表面の少なくともファンブレード１０ｂに光触媒２９を設けると、ファンブレード１０ｂの回転軌跡に向かって光源３１から紫外光を照射すればよく、より少ない数の光源３１で光触媒２９を励起できるので、光触媒２９および光源３１を備えたヘアードライヤーの構造を簡素化できる。空気との接触機会が最も多いファンブレード１０ｂの表面に光触媒２９を設けるので、乾燥風に含まれるマイクロダストや有機物などを光触媒２９と接触させて、これらを効果的に殺菌および分解して、よりクリーンな乾燥風で髪乾燥を行える。
【００３１】
本体ケース１の内部に遮蔽体を設け、光源３１から照射される励起光を遮蔽体で遮蔽すると、光触媒２９の励起光が本体ケース１の外へ漏洩するのを確実に阻止して、励起光が使用者の目に直接入るのを防止でき、ヘアードライヤー使用時の安全性を向上できる。
【００３２】
吸込み口６にアレルゲン、およびマイクロダストなどの流入を阻止するフィルター２６を配置すると、先のように衛生的にクリーンな乾燥風を吹き出し供給できることに加えて、空気中に浮遊するアレルゲンやマイクロダストが通風路Ｒ内に流入するのを阻止でき、したがって、一般ユーザーはもちろん、アレルギー症のユーザーであっても安心して使用できるヘアードライヤーを提供できる。
【００３３】
静電フィルターからなるフィルター２６の表面に光触媒３９を設けると、フィルター形成材の静電作用によって、空気中に浮遊するアレルゲンやマイクロダストを吸着固定できるうえ、フィルター表面に設けた光触媒３９によって、有機物を分解し殺菌できるので、フィルター表面に捕捉された有機物が腐敗し、あるいは変質するのを防止して、常に清浄な乾燥風を送給できるヘアードライヤーが得られる。フィルター表面に付着した有機物を光触媒３９で分解し殺菌できるので、フィルター２６を通過する乾燥風に異臭が含まれるのを防止できる。
【００３４】
フィルター２６の内表面に光触媒３９を設け、これに第２の光源４７から励起光を照射できるようにすると、フィルター表面に捕捉された有機物に加えて、フィルター２６の内表面に付着する有機物をも光触媒３９で分解し殺菌できるので、フィルター２６を通過する乾燥風に異臭が含まれるのを、さらに確実に防止できる。
【００３５】
通風路Ｒの中途部に軸流型のファン１０を配置し、その表面に光触媒２９を設けたうえで、図４に示すように、励起光をファン１０へ向かって前向きに照射する光源３１を配置すると、ファン１０によって励起光の殆どが遮蔽されるうえ、ファン１０を通り抜けた励起光を整流翼１８、ヒーター１２、ヒーターホルダー２０、吹出しグリル１５などで遮蔽して、励起光が本体ケース１の外へ洩れ出るのを極力避けることができる。乾燥風の吹き出し方向に沿って励起光を照射するので、開いた状態の目に向かって乾燥風を吹き出さない限りは励起光を直視できず、したがって、励起光の一部が吹出し口７から洩れ出たとしても、励起光が使用者の目に直接入るのを防止できる。
【００３６】
ファン１０と吹出し口７との間に、励起光を遮蔽する遮蔽体を設けると、励起光の一部が吹出し口７から洩れ出るのをさらに確実に防止して、ヘアードライヤー使用時の安全性をさらに向上できる。
【００３７】
モーター１０、ヒーター１１、およびこれらを支持する構造体１３・２０と、吹出しグリル１５と、通風路Ｒを囲む構造体１４・１７との少なくともいずれかひとつが励起光を遮蔽する遮蔽体を兼ねるようにすると、励起光の遮蔽構造を簡素化できるうえ、通風路Ｒ内における乾燥風の通風抵抗がいたずらに増加するのを解消できる。
【００３８】
ファン１０のファンブレード１０ｂの表面に光触媒２９を設け、本体ケース１の筒中心の近傍に配置した光源３１の光軸中心をファンブレード１０ｂに向かって指向させると、ファンブレード１０ｂの回転軌跡の一個所に向かって光源３１から紫外光を照射すればよく、より少ない数の光源３１で光触媒２９を励起できるので、光触媒２９および光源３１を備えたヘアードライヤーの構造を簡素化できる。空気との接触機会が最も多いファンブレード１０ｂの表面に光触媒２９を設けるので、乾燥風に含まれるマイクロダストや有機物などを光触媒２９と接触させて、これらを効果的に殺菌および分解して、よりクリーンな乾燥風で髪乾燥を行える。光源３１を本体ケース１の筒中心の近傍に配置するので、吸込み口６から吸い込まれた空気の流が光源３１によって遮られるのを極力避けることができ、その分だけ送風効率を向上できる。
【００３９】
フィルターエレメント３４の一部破損や、フィルター２６の装着不良などによってファン１０と正対するフィルター２６のフィルター枠３３に光源３１を配置すると、光源３１を支持するための構造を別途設ける必要がない分だけ、ヘアードライヤーの内部構造を簡素化できるうえ、通風抵抗を減少できる。
【００４０】
通風路Ｒの中途部に軸流型のファン１０を配置し、その表面に光触媒２９を設けたうえで、図５に示すように、励起光をファン１０へ向かって後向きに照射する光源３１を配置すると、吸込み口６とファン１０との間に設けられるフィルター２６やホルダー４４などで、ファン１０を通り抜けた励起光を遮蔽できるので、励起光が本体ケース１の外へ洩れ出るのを確実に解消し、ヘアードライヤー使用時の安全性をさらに向上できる。
【００４１】
ファン１０と吸込み口６との間に励起光を遮蔽する遮蔽体を設けると、励起光の一部が吹出し口７から洩れ出るのをさらに確実に防止して、ヘアードライヤー使用時の安全性をさらに向上できる。
【００４２】
吸込み口６に設けたフィルター２６を遮蔽体として利用すると、遮蔽構造を別途設ける必要がない分だけ、ヘアードライヤーの内部構造を簡素化できるうえ、通風抵抗の増加を防止できる。
【００４３】
通風路Ｒの中途部に軸流型のファン１０を配置し、その回転周面に臨む静止構造体に、励起光をファン１０へ向かって照射する光源３１を配置すると、光触媒２９の回転周面に向かって光源３１から紫外光を照射すればよく、より少ない数の光源３１で光触媒２９を励起できるので、光触媒２９および光源３１を備えたヘアードライヤーの構造を簡素化できる。ファン１０を通り抜けた励起光を、風導筒１７や本体ケース１などで遮蔽できるので、励起光が本体ケース１の外へ洩れ出るのを確実に解消し、ヘアードライヤー使用時の安全性を向上できる。
【００４４】
本体ケース１とその下面一側に設けたグリップ３との間のケース内に、ファン１０の回転周面と対向する取付壁３０を設け、この取付壁３０に光源３１を装着すると、光源３１やその支持構造が通風路Ｒ内に露出するのを防止できるので、通風路Ｒ内における乾燥風の通風抵抗が増加するのを解消でき、その分だけ送風効率を向上できる。
【００４５】
吸込み口６と吹出し口７との間の通風路Ｒの中途部に、多翼ファン型のファン１０を配置し、そのファンブレード１０ｂの表面に光触媒２９を設けけたうえで、図７に示すように、励起光をファンブレード１０ｂへ向かって照射する光源３１を配置すると、ファン１０を通り抜けた励起光を本体ケース１で遮蔽できるので、励起光が本体ケース１の外へ洩れ出るのを確実に解消し、ヘアードライヤー使用時の安全性を向上できる。回転するファンブレード１０ｂへ向かって励起光を照射するので、より少ない数の光源３１でファンブレード１０ｂの前面を照射できる利点もある。
【００４６】
光源３１と吸込み口６との間に励起光の遮蔽体を設けると、励起光の一部が吸込み口６から洩れ出るのをさらに確実に防止して、ヘアードライヤー使用時の安全性をさらに向上できる。
【００４７】
吸込み口６を覆う吸込みグリル５６の内面に光源３１を配置して、ファン１０に向かって励起光を照射すると、ファン１０の回転軌跡に向かって光源３１から紫外光を照射すればよく、より少ない数の光源３１で光触媒２９を励起できるので、光触媒２９および光源３１を備えたヘアードライヤーの構造を簡素化できる。吸込みグリル５６の内面に光源３１を配置するので、吸込み口６から吸い込まれた空気の流が光源３１によって遮られるのを極力避けることができ、その分だけ送風効率を向上できる。
【発明を実施するための最良の形態】
【００４８】
（実施例１）  図１ないし図３は本発明に係るヘアードライヤーの実施例を示す。図２においてヘアードライヤーは、前後端が開口する横長筒状の本体ケース１と、その下面後ろ側に設けたグリップ２を備えている。グリップ２の前後面には、上下スライド可能なスイッチノブ３が設けてあり、スイッチノブ３を切り換え操作することにより、乾燥風の風量および温度を制御できる。詳しくは、スイッチノブ３をオフ状態から第１オン位置までスライド操作すると、ファン１０のみが回転して強冷風を送給できる。第２オン位置へスライド操作すると、ヒーター１２に通電されて弱温風を送給できる。第３オン位置へスライド操作すると、弱温風より風量が大きな強温風を送給できる。光源３１は、スイッチノブ３のオフ状態では消灯しており、第１〜第３オン位置では点灯する。グリップ２は軸４を介して本体ケース１に連結してあり、図２に想像線で示すように、軸４を中心にして折り畳み操作して本体ケース１に沿わせることができる。
【００４９】
図１において、本体ケース１は、乾燥風の風導体を兼ねる主ケース１Ａと、主ケース１Ａの後端に装着される後ケース１Ｂとからなり、後ケース１Ｂの後端に吸込み口６が開口され、主ケース１Ａの前端に吹出し口７が開口してある。主ケース１Ａの後端下面、および後ケース１Ｂの下面には、それぞれグリップ２用の連結枠８が一体に形成してある。吹出し口７には乾燥風を扁平に絞り込むノズル９が着脱自在に装着してある。
【００５０】
本体ケース１で囲まれる通風路Ｒの内部には、吸込み口６から吹出し口７の側へ向かって、軸流型のファン１０と、ファン１０を駆動するモーター１１と、ヒーター１２とが配置してある。さらに、主ケース１Ａの内面にモーターホルダー１３と、ヒーター１２の周囲を囲む鋼板製の保護筒１４とがそれぞれ内嵌装着してある。保護筒１４は、ヒーター１２の熱を筒壁全体に均等に伝えて、熱が局部的に集中するのを防止し、さらに、本体ケース１との間の隙間に形成される空気層によって断熱効果を得るために設けてある。吹出し口７はプレス成形した吹出しグリル１５で覆われている。モーターホルダー１３は、モーター１１の出力軸側の端部に外嵌する中央筒１６と、ファン１０の周囲を囲む円筒状の風導筒１７と、これら両者１６・１７を繋ぐ整流翼１８とを一体に備えている。風導筒１７の筒壁下部には、後述する光源３１用の投光窓１９が開口してある。
【００５１】
ヒーター１２を固定支持するために、モーターホルダー１３に隣接してヒーターホルダー２０を設けている。ヒーターホルダー２０は、ボス１６に連続してモーター１１に外嵌するホルダー筒２１と、ホルダー筒２１の周面、および整流翼１８の前縁に係合装着される４個の絶縁枠２２とからなり、絶縁枠２２の突端縁にヒーター１２が螺旋状に巻き付けてある。
【００５２】
上記のヘアードライヤーにおいて、空気中に浮遊するアレルゲンやマイクロダストが乾燥風に含まれるのを防止するために、吸込み口６にフィルター２６を配置し、その外面をフィルターカバー２７で覆っている。さらに、繊維屑などのマイクロダストが堆積しやすいファン１０の表面に光触媒２９を設け、ファン１０の回転周面と対向する取付壁３０に、光触媒２９を励起するための光源３１を配置している。
【００５３】
フィルター２６は、プラスチック成形された籠状のフィルター枠３３と、フィルター枠３３の外面に密着固定したカップ状のフィルターエレメント３４とで構成してある。フィルター２６は後ケース１Ｂに対してバヨネット構造を介して着脱可能に装着してあり、これによりフィルター２６の清掃、および交換などを容易に行える。フィルター２６の交換に要するコストも少なくて済む。バヨネット構造としては、後ケース１Ｂの内面後部にバヨネット溝３５を形成し、フィルター枠３３の前面開口の周囲にバヨネット溝３５と係合する突起３６を設けている。
【００５４】
フィルターエレメント３４は、静電気が帯電してある繊維を主要素材にして形成した静電フィルターからなり、その表面側に光触媒３９が設けてある。詳しくは、二酸化チタンの微粉末を有機溶媒に混合した懸濁液をフィルターエレメント３４の表面に塗布したうえで乾燥固化して、図２に示すように光触媒３９を網目模様状に形成した。この光触媒３９は蛍光灯などの室内照明器の光を利用して励起する。そのために、フィルターカバー２７を透明なプラスチック材で形成して、照明光がフィルターカバー２７を介してフィルターエレメント３４の表面に到達できるようにしている。フィルターカバー２７はキャップ状に形成してあって、後ケース１Ｂの後端外面に着脱可能に圧嵌装着される。その後壁には、空気を取り入れるための開口４０が形成してある。
【００５５】
先に説明した光触媒２９は、ファン１０の表面全体、つまりファンボス１０ａ、およびファンブレード１０ｂの表面の全てを覆う状態で薄膜状に形成する。詳しくは、銀の微粉末を二酸化チタンに担持させ、その微粉末を溶融樹脂中に混合して処理原液を形成し、この処理原液にファン１０を浸漬したのち、溶融樹脂を固化することにより光触媒２９を薄膜状に形成する。
【００５６】
光源３１は指向性のある紫外線発光ＬＥＤからなり、先の取付壁３０に装着固定されて、投光窓１９を介してファンボス１０ａおよびファンブレード１０ｂに向かって紫外光を照射し、照射範囲に設けられた光触媒２９を励起させる。紫外光を受けた光触媒２９は、その表面で発生する酸化還元反応によって有機物を分解し、雑菌類を殺菌する。また、乾燥風中に浮遊する微小有機物や雑菌類などを、紫外線によって直接殺菌することができる。光触媒２９が励起することによって、その表面からラジカルＯＨ基が発生し、それが頭皮に吹き付けられるので、頭皮をラジカルＯＨ基で殺菌できる。二酸化チタンに担持された銀は、不使用状態においてファン１０の表面に付着した有機物を殺菌する。図３に示すように取付壁３０は、後ケース１Ｂの下面に設けた連結枠８の内面に一体形成してある。この実施例においては、後ケース１Ｂの連結枠８が特許請求の範囲で言う静止構造体となる。
【００５７】
上記のように、ファン１０の回転周面と対向する状態で光源３１を設け、紫外光を回転するファン１０に向かって照射すると、ファンボス１０ａの周面はもちろん、ファンブレード１０ｂの前後両面を同時に紫外光に晒すことができるので、他の位置に光触媒２９を設け、あるいは他の位置に光源３１を設ける場合に比べて、光源３１の配置個数を削減できる。光源３１の配置個数が複数個であれば、殺菌、脱臭効果を向上できる。光源３１から照射される紫外光の殆どはファン１０で遮られ、あるいはファン１０の周囲を囲む風導筒１７によって遮蔽されるので、紫外光が本体ケース１から洩れ出ることはなく、後述するような遮蔽体を別途設ける必要がない点で有利である。なお、ファン１０を通り抜けた紫外光を、風導筒１７や本体ケース１などで遮蔽する場合には、風導筒１７や本体ケース１の内面に光触媒２９を設けておくことにより、風導筒１７や本体ケース１の内表面に付着した有機物を殺菌し、乾燥風をさらにクリーンにできる。
【００５８】
空気との接触機会が最も多く、繊維屑などが堆積しやすいファンブレード１０ｂの前後両面に紫外光を照射して光触媒２９を励起させるので、フィルターエレメント３４の一部破損や、フィルター２６の装着不良などによってマイクロダストがファンブレード１０ｂに付着堆積するような場合でも、堆積した有機物などの殺菌および分解を効果的に行うことができる。また、ファン１０で生起された空気流が光触媒２９と接触することにより、空気流に含まれる微小有機物や雑菌などを殺菌し分解できるので、異臭が発生するのを防止でき、よりクリーンな乾燥風で髪の乾燥を行える。
【００５９】
（実施例２）  図４は、光源３１の配置位置を変更した実施例２を示す。そこでは、風導筒１７と後ケース１Ｂとの間にホルダー４４を装着し、ホルダー４４の中央のボス４５に２個の光源３１を配置して、紫外光を主としてファンブレード１０ｂへ向かって前向きに照射できるようにした。各光源３１の光軸中心の傾きは異ならせてあり、これによりファンブレード１０ｂの光源３１と対向する側のブレード表面をくまなく照射できるうえ、風導筒１７の内面に光触媒２９を設けておけば、各光源３１からの照射光で光触媒２９を励起して、風導筒１７に付着するマイクロダストなどを分解し殺菌できる。
【００６０】
このように、紫外光を前向きに照射する場合には、光の一部が通風路Ｒを介して吹出し口７から洩れ出るおそれがあるが、ファン１０と吹出し口７との間に遮蔽体を設けることにより、紫外光の漏洩を防止できる。この実施例の場合には、モーター１０、ヒーター１１、モーターホルダー１３、ヒーターホルダー２０、および吹出しグリル１５が紫外光を遮蔽し変向させ、これらの部材が遮蔽体として機能するので、独立した遮蔽体を別途設ける必要はない。この実施例においては、ホルダー４４が特許請求の範囲で言う静止構造体となる。光源３１を、ファン１０のファンボス１０ａと正対するホルダー４４の内面中央部分、すなわち、本体ケース１の筒軸中心の近傍に配置しているので、吸い込み空気の流れが光源３１によって妨げられるのを確実に防止できる。
【００６１】
上記のように、光源３１を本体ケース１の筒中心の近傍に配置して、その光軸中心を回転するファンブレード１０ｂに向かって指向させると、ファンブレード１０ｂが光源３１２の照射領域を横切ることで、ファンブレード１０ｂに設けた光触媒２９を紫外光に満遍なく晒すことができるので、他の位置に光源３１を設ける場合に比べて光源３１の配置個数を削減できる。他は先の実施例と同じであるので、同じ部材に同じ符号を付して、その説明を省略する。以下の実施例においても同じように扱う。
【００６２】
（実施例３）  図５は光源３１の配置位置を変更した実施例３を示す。そこでは、風導筒１７の前端内面の上下に２個の光源３１を配置して、紫外光を主としてファンブレード１０ｂへ向かって後向きに照射できるようにした。取付壁３０は風導筒１７と一体に形成する。実施例２と同様に、各光源３１の光軸中心の傾きは異ならせてあって、光源３１と対向する側のブレード表面を照射できるようにした。
【００６３】
この実施例においては、ファンブレード１０ｂの後側の翼面に比べて、空気との接触機会が多い前側の翼面に紫外光を照射するので、励起された光触媒２９に接触する空気量が多くなり、その分だけ有機物や雑菌などを効果的に殺菌し分解できる。紫外光の一部がファン１０の後側へ漏洩するおそれがあるが、ファン１０を通抜けた紫外光は、吸込み口６の開口面を覆うフィルター２６で遮蔽されるので、紫外光が本体ケース１の外へ洩れ出ることはない。なお、この実施例においては、モーターホルダー１３の風導筒１７が特許請求の範囲で言う静止構造体となる。
【００６４】
（実施例４）  図６は実施例１のヘアードライヤーに加えて、フィルター２６に設けた光触媒３９を本体ケース１に内蔵した第２の光源４７で照射して励起することにより、フィルターエレメント３４の内面に付着するマイクロダストなどを分解し殺菌できるようにした。そのために、フィルター枠３３の表面に光触媒２９を設け、さらにフィルターエレメント３４の内外両面に、実施例１と同様の光触媒３９を網目模様状に設けた。光源４７は、実施例２で説明したホルダー４４のボス４５で支持した。
【００６５】
光源４７は実施例１と同様の紫外線発光ＬＥＤからなり、ＬＥＤから照射される紫外光を散乱ブロック４８で散乱させて、フィルター２６の内面のほぼ全面に紫外光を照射できるようにした。散乱ブロック４８はアクリル樹脂製の成形品からなり、中央に設けた反射部４９の周囲に、４ないし８個の部分球面状の散乱面５０を備えている。反射部４９の外面、および散乱面５０と対向する平坦面には、光を反射する反射層５１が形成してある。
【００６６】
上記のように、フィルターエレメント３４の内外両面に光触媒３９を設け、外面側の光触媒３９は蛍光灯で、内面側の光触媒３９はそれ専用の光源４７で励起できるようにすると、フィルター２６の内外面に付着するマイクロダストなどを光触媒３９で分解し殺菌できるので、異臭を伴う乾燥風が送給されるのを解消できる。
【００６７】
（実施例５）  図７および図８は、本発明を多翼ファン型のファン１０を備えたヘアードライヤーに適用した別の実施例を示す。そこでは、本体ケース１の内部に区画したファン室５４にファン１０を収容し、ファン室５４の上壁に吸込み口６を開口し、本体ケース１の側端に吹出し口７を開口した。吸込み口６を覆うフィルター２６は、フィルター枠３３と、マット状のフィルターエレメント３４とからなり、その外面が透明のフィルターカバー２７で覆われている。フィルターエレメント３４は、実施例１で説明したフィルターエレメントと同様の素材で形成し、その外面側に光触媒３９を設ける。ファンブレード１０ｂの表裏両面には光触媒２９が設けてある。
【００６８】
ファン１０のファンブレード１０ｂで囲まれるファン内部に、モーター１１とモーターホルダー１３を配置する。モーターホルダー１３を静止構造体にして、その外面３個所に配置した光源３１から、ファンブレード１０ｂに向かって紫外光を照射する。光源３１は、モーターホルダー１３の周方向へ均等な間隔を隔てて配置するが、各光源３１の上下位置を順にずらすことにより、図８に破線で示すように、ファンブレード１０ｂの全ての表面領域に紫外光を照射できるようにしている。この実施例におけるフィルター２６は紫外光の遮蔽体を兼ねている。
【００６９】
励起光を遮蔽する遮蔽体は、ファン１０と吹出し口７との間に配置した、モーター１０と、ヒーター１１と、モーター１０を支持する構造体（モーターホルダー）１３と、吹出しグリル（図示せず）と、通風路Ｒを囲む周囲壁５９の少なくともいずれかひとつを利用して構成することができる。本実施例においては、図７に示すように、ファン１０と通風路Ｒを囲む周囲壁５９によって、吹出し口７から紫外光が外部に漏れるのを防止している。これにより、すべての開口部において紫外光が外部に漏れるのを防止できる。フィルターカバー２７には、一群の通気口が開口してある。以上のように、ファンブレード１０ｂで囲まれるファン内部に光源３１を配置すると、例えばファン１０の回転周面の外方に光源３１を配置する場合に比べて、ファン内部のスペースを有効利用できる利点がある。
【００７０】
（実施例６）  図９は本発明のさらに別の実施例を示す。そこでは、吸込み口６を覆う吸込みグリル５６の内面に、ファン１０のファンブレード１０ｂに向かって励起光を照射する２個の光源３１を配置した。この実施例における吸込みグリル５６は、ファン１０などの本体ケース１内の構成部品に手が触れるのを防止できる小さな開口を備えたグリル構造とすることができ、必要があれば、アレルゲンやマイクロダストなどを捕捉する、フィルターを兼ねたグリル構造とすることができる。
【００７１】
光源３１は、吸込みグリル５６の内面中央に固定したホルダー５７に装着されて、図４で説明した光源３１と同様に、各光源３１の光軸中心の傾きを異ならせて、光源３１と対向するブレード表面をくまなく照射できるようにした。光源３１を、ファン１０のファンボス１０ａと正対するグリル５６の内面中央部分、すなわち、本体ケース１の筒中心の近傍に配置しているので、吸込み空気の流れが光源３１によって妨げられるのを確実に防止できる。
【００７２】
上記の実施例においては、光触媒２９をファン１０に設ける場合について説明したが、その必要はなく、保護筒１４、吹出しグリル１５、風導筒１７、整流翼１８、絶縁枠２２、あるいは吸込みグリルなどの、通風路Ｒに臨むドライヤー構成部品の表面に光触媒２９を設けることができる。光源３１としては、現状では紫外線発光ＬＥＤが好適であるが限定はしない。例えば、リング状に曲げられた蛍光灯管状の小形のブラックライトを光源３１として適用できる。光源３１をグリップの側に設けておき、光源３１から放射される紫外光を光ファイバーで必要個所まで案内することができる。
【００７３】
光源３１は、ファン１０と正対するフィルター２６のフィルター枠（静止構造体）３３に配置することができる。実施例１から実施例４のヘアードライヤーにおいて、そのフィルター２６の構造を、実施例５と同様のフィルターエレメント３４を使用する構造に変更することができる。
【図面の簡単な説明】
【００７４】
【図１】ヘアードライヤーの縦断側面図である。
【図２】ヘアードライヤーの側面図である。
【図３】図１におけるＡ−Ａ線断面図である。
【図４】光源の配置構造を変更した実施例２の要部の縦断側面図である。
【図５】光源の配置構造をさらに変更した実施例３の要部の縦断側面図である。
【図６】実施例４に係る要部の縦断側面図である。
【図７】実施例５に係るヘアードライヤーの要部の横断平面図である。
【図８】図７におけるＢ−Ｂ線断面図である。
【図９】実施例６に係る要部の縦断側面図である。
【符号の説明】
【００７５】
１  本体ケース
６  吸込み口
７  吹出し口
１０  ファン
１１  モーター
１２  ヒーター
２６  フィルター
２９  光触媒
３１  光源
Ｒ  通風路
【図１】
2006068187.tif 000003
【図２】
2006068187.tif 000004
【図３】
2006068187.tif 000005
【図４】
2006068187.tif 000006
【図５】
2006068187.tif 000007
【図６】
2006068187.tif 000008
【図７】
2006068187.tif 000009
【図８】
2006068187.tif 000010
【図９】
2006068187.tif 000011